(57)【特許請求の範囲】
【請求項１】
符号化ビデオ信号、符号化オーディオ信号、符号化データ信号の各ビットストリームを多重した多重化信号により、ビデオ、オーディオ、データからなるメディアを含んだ番組の配送を行なうディジタル放送サービスを受信して、番組を受信者に供給するディジタルビデオ受信装置において、
前記多重化信号を受信してディジタルベースバンド信号に変換するチューナと、
前記チューナから供給された前記ディジタルベースバンド信号を復号する復調器と、
前記復調器から出力された符号化ビデオ信号、符号化オーディオ信号、符号化データ信号が多重された多重化信号から、ビデオ信号のビットストリーム、オーディオ信号のビットストリーム、データ信号のビットストリーム、番組対応のクロックおよび受信したビットストリームを識別するためのストリーム識別信号を分離して出力する多重データ分離器と、
前記ビデオ信号のビットストリームを分割するビットストリーム分割器と複数のビデオ復号ユニットとを備え、前記多重データ分離器で分離されたビデオ信号を復号するビデオ復号器と、
前記多重データ分離器で分離されたオーディオ信号を復号するオーディオ復号器と、
前記多重データ分離器で分離されたデータ信号を復号するデータ復号器と、
前記ビデオ復号器から出力された複数のビデオ信号を１つの画面上に表示するように信号変換を行う表示変換合成器と、
前記オーディオ復号器から出力されたオーディオ信号を選択するオーディオ選択器と、
前記データ復号器から出力されたデータ信号を選択するデータ選択器とを備え、
前記復調器から出力された多重化信号がＳＤＴＶの場合には、前記多重データ分離器は、外部からの選択指示信号により選択された１以上の番組を構成するビデオ信号のビットストリーム、オーディオ信号のビットストリーム、データ信号のビットストリーム、番組対応のクロックおよびストリーム識別信号を分離して出力し、前記ビットストリーム分割器は、切換信号に従って前記多重データ分離器から出力されたビデオ信号から各番組を構成するチャンネル毎に分離されたビデオストリームを生成して出力し、前記各ビデオ復号ユニットは、前記各チャネル毎にビデオストリーム信号を復号し前記各チャンネル毎のビデオ出力信号として出力し、前記表示変換合成器は、前記各ビデオ復号器から出力された各チャンネル毎のビデオ出力信号を合成して前記各チャンネル毎のビデオ出力信号が１つの画面上に表示されるようにし、
前記復調器から出力された多重化信号がＨＤＴＶの場合には、前記多重データ分離器は、複数の部分画像を構成するビデオ信号のストリーム、オーディオ信号のストリーム、データ信号のビットストリーム、部分画像対応のクロックおよびストリーム識別信号を分離して出力し、前記ビットストリーム分割器は、切換信号に従って前記多重データ分離器から出力されたビデオ信号から各部分毎に分離されたビデオストリームを生成して出力し、前記各ビデオ復号ユニットは、前記各部分毎にビデオストリーム信号を復号し各部分毎のビデオ出力信号として出力し、前記表示変換合成器は、前記各ビデオ復号器から出力された前記各部分毎のビデオ信号を合成して前記部分画像から１画面の画像が表示されるようにする
ことを特徴とするディジタルビデオ受信装置。
【請求項２】
請求項１記載のディジタルビデオ受信装置において、
前記表示変換合成器は、複数の拡大・縮小器および画面オーバレイユニットを有し、
ＳＤＴＶの場合にはビデオ復号器から入力した復号信号を１つのモニタで表示できるサイズになるように拡大・縮小器で拡大・縮小し、それらの拡大・縮小された複数の画像信号を画面オーバレイユニットで重ね合わせて１つのモニタ画面上に表示できるビデオ信号を生成することを特徴とするディジタルビデオ受信装置。
【請求項３】
請求項１記載のディジタルビデオ受信装置において、
さらに、ＮＴＳＣ／ＰＡＬデコーダを備え、
前記チューナは受信信号をＰＡＬ／ＮＴＳＣのアナログベースバンド信号とディジタルベースバンド信号に分岐し、
前記ＮＴＳＣ／ＰＡＬデコーダは前記チューナから供給されたアナログベースバンド信号を復号し、復号ビデオ信号を生成し、
前記表示変換合成器は前記ＮＴＳＣ／ＰＡＬデコーダからのアナログ画像信号とビデオ復号器からのディジタル画像信号とを合成し、１つのモニタ上にアナログ画像信号とディジタル画像信号とを表示できるビデオ信号を生成することを特徴とするディジタルビデオ受信装置。
【請求項４】
請求項３記載のディジタルビデオ受信装置において、
前記表示変換合成器は、画面再生器および画面オーバレイユニットを有し、
前記ビデオ復号器からディジタルＨＤＴＶ画像信号を合成し１つのモニタで表示されるビデオ信号を生成し、一方、前記ＮＴＳＣ／ＰＡＬデコーダからのアナログ画像信号が存在するときは、ＨＤＴＶの画像信号とアナログ画像信号を画面オーバレイユニットで重ね合わせて１つのモニタ画面上に表示できるビデオ信号を生成することを特徴とするディジタルビデオ受信装置。
【発明の詳細な説明】
【０００１】
【発明の属する技術分野】
本発明は、デジタルＴＶ、ディジタルＣＡＴＶやディジタル放送システムからのディジタルビデオを受信する受信機に関するものである。
【０００２】
【従来の技術】
図１４は、例えば、服部、田中、浅野、浅井、坂戸：「衛星利用放送品質コーデック」、三菱電機技報、ｖｏｌ．６７、Ｎｏ．７、ｐｐ３３−３８（１９９３）に示されたマルチメディア情報処理装置の構成である。
【０００３】
次に、従来のディジタルビデオ受信装置について図１３および図１４を用いて説明する。図１３は２波伝送モードによる衛星トランスポンダ上の信号周波数配列の例である。なお、図中、高画質モードとは、トランスポンダ当り２波伝送とし、より高品質なビデオおよびオーディオを伝送するモードを意味し、ＳＮＧ（Satellite News Gathering）多重モードとは、通信衛星スーパーバードのトランスポンダで最大４波の伝送が可能なＳＮＧモードを２番組多重化し、１波で２番組のビデオを伝送するモードである。図１３では２波が多重されているが、１波ごとに２チャンネルの番組を多重している。
図１３で示す２波を分離して同時に受信する場合は、図１３の番組受信装置４００が４台（２［台］×２［番組］）必要になる。高画質モードでは１波１番組であるのでＳＮＧ多重モード（１波２番組）の場合で説明するが、図１４に示すようにＳＮＧ多重モードの信号が２波多重されている場合の復号動作を説明する。
【０００４】
図１４においてダウンコンバータ４０２では、受信したＩＦ（中間周波数）信号４０１の内、図１３に示す５１１または５１２の何れか１波を選択し、ＱＰＳＫ復調回路４０３にて選択した１波をディジタル復調し、ビタビ復号器４０４にて誤り訂正を行ない、２ＣＨ分離器４１０にて１波の信号を２つの番組に分離する。そのうちの一方の番組信号はデインタリーブ部４１１、リードソロモン復号器４１２およびデスクランブル部４１３にて誤り訂正され、多重分離器４３０へ出力される。
【０００５】
もう一方の番組信号は、２ＣＨ分離器４１０よりディジタルビデオ出力４２２として分離され、もう一台の番組受信装置４００のディジタルビデオ入力４２１として２ＣＨ分離器４１０に入力され前記と同じように４１１、４１２、４１３の回路によって誤り訂正された多重分離器４３０へ出力される。
【０００６】
従来例では、１つのＳＮＧ多重波は２つの番組より構成されており、２ＣＨ分離器４１０で１番組ごとに分離された後、多重分離器４３０でＶＢＩ（垂直帰線区間）信号４３１を入力してビデオ信号４４１を出力し端末に出力する。またオーディオ復号器４３３では多重分離器４３０より入力したオーディオ符号化信号を復号しオーディオ信号４２２を出力する。同ように、オーダーワイヤインタフェース部４３４より連絡回線信号４４３をデータインタフェース部４３５より端末データ信号等４４４を出力する。
【０００７】
【発明が解決しようとする課題】
従来、ディジタルに符号化された番組しか受信できなかったため、アナログビデオ画像およびディジタルビデオ画像を同一受信端末装置では受信できなかった。
【０００８】
また、従来のディジタルビデオ受信端末装置は１つのディジタルビデオ番組を受信できるだけであり、マルチチャンネルのディジタルビデオ画面表示ができなかった。
【０００９】
さらに、従来のディジタルビデオ受信端末装置では、複数の端末（モニタ）において独立した異なったディジタルビデオ画像を表示できなかった。
【００１０】
従来のディジタルビデオ受信装置端末におけるデータ分離器は、１つの番組のみに付随するデータを分離するのみで、複数のディジタルビデオ番組に対応してデータを出力できなかった。
【００１１】
さらに、従来のディジタルビデオ受信装置端末におけるデータ復号器は、例えば、高画質のディジタルＴＶであるＨＤＴＶ（High Definition Television）の復号に必要な演算が通常のディジタルＴＶであるＳＤＴＶ（Standard Definition Television）に比較して６倍である場合、１つのＨＤＴＶ画像または１つのＳＤＴＶ画像の復号は可能であったが、複数のＳＤＴＶ画像および複数の複数ＳＤＴＶと１つのＨＤＴＶ画像の同時復号はできなかった。
【００１６】
【課題を解決するための手段】
第１の発明においては、符号化ビデオ信号、符号化オーディオ信号、符号化データ信号の各ビットストリームを多重した多重化信号により、ビデオ、オーディオ、データからなるメディアを含んだ番組の配送を行なうディジタル放送サービスを受信して、番組を受信者に供給するディジタルビデオ受信装置は、多重化信号を受信してディジタルベースバンド信号に変換するチューナと、チューナから供給されたディジタルベースバンド信号を復号する復調器と、復調器から出力された符号化ビデオ信号、符号化オーディオ信号、符号化データ信号が多重された多重化信号から、ビデオ信号のビットストリーム、オーディオ信号のビットストリーム、データ信号のビットストリーム、番組対応のクロックおよび受信したビットストリームを識別するためのストリーム識別信号を分離して出力する多重データ分離器と、ビデオ信号のビットストリームを分割するビットストリーム分割器と複数のビデオ復号ユニットとを備え、多重データ分離器で分離されたビデオ信号を復号するビデオ復号器と、多重データ分離器で分離されたオーディオ信号を復号するオーディオ復号器と、多重データ分離器で分離されたデータ信号を復号するデータ復号器と、ビデオ復号器から出力された複数のビデオ信号を１つの画面上に表示するように信号変換を行う表示変換合成器と、オーディオ復号器から出力されたオーディオ信号を選択するオーディオ選択器と、データ復号器から出力されたデータ信号を選択するデータ選択器とを備え、復調器から出力された多重化信号がＳＤＴＶの場合には、多重データ分離器は、外部からの選択指示信号により選択された１以上の番組を構成するビデオ信号のビットストリーム、オーディオ信号のビットストリーム、データ信号のビットストリーム、番組対応のクロックおよびストリーム識別信号を分離して出力し、ビットストリーム分割器は、切換信号に従って多重データ分離器から出力されたビデオ信号から各番組を構成するチャンネル毎に分離されたビデオストリームを生成して出力し、各ビデオ復号ユニットは、各チャネル毎にビデオストリーム信号を復号し各チャンネル毎のビデオ出力信号として出力し、表示変換合成器は、各ビデオ復号器から出力された各チャンネル毎のビデオ出力信号を合成して各チャンネル毎のビデオ出力信号が１つの画面上に表示されるようにし、復調器から出力された多重化信号がＨＤＴＶの場合には、多重データ分離器は、複数の部分画像を構成するビデオ信号のストリーム、オーディオ信号のストリーム、データ信号のビットストリーム、部分画像対応のクロックおよびストリーム識別信号を分離して出力し、ビットストリーム分割器は、切換信号に従って多重データ分離器から出力されたビデオ信号から各部分毎に分離されたビデオストリームを生成して出力し、各ビデオ復号ユニットは、各部分毎にビデオストリーム信号を復号し各部分毎のビデオ出力信号として出力し、表示変換合成器は、各ビデオ復号器から出力された各部分毎のビデオ信号を合成して部分画像から１画面の画像が表示されるように構成される。
【００１８】
第２の発明においては、表示変換合成器は、複数の拡大・縮小器および画面オーバレイ
ユニットを有し、ＳＤＴＶの場合にはビデオ復号器から入力した復号信号を１つのモニタで表示できるサイズになるように拡大・縮小器で拡大・縮小し、それらの拡大・縮小された複数の画像信号を画面オーバレイユニットで重ね合わせて１つのモニタ画面上に表示できるビデオ信号を生成するように構成される。
【００１９】
第３の発明においては、さらに、ＮＴＳＣ／ＰＡＬデコーダを備え、チューナは受信信号をＰＡＬ／ＮＴＳＣのアナログベースバンド信号とディジタルベースバンド信号に分岐し、ＮＴＳＣ／ＰＡＬデコーダはチューナから供給されたアナログベースバンド信号を復号し、復号ビデオ信号を生成し、表示変換合成器はＮＴＳＣ／ＰＡＬデコーダからのアナログ画像信号とビデオ復号器からのディジタル画像信号とを合成し、１つのモニタ上にアナログ画像信号とディジタル画像信号とを表示できるビデオ信号を生成するように構成される。
【００２０】
第４の発明においては、表示変換合成器は、画面再生器および画面オーバレイユニットを有し、ビデオ復号器からディジタルＨＤＴＶ画像信号を合成し１つのモニタで表示アされるビデオ信号を生成し、一方、ＮＴＳＣ／ＰＡＬデコーダからのアナログＴＶ信号が存在するときは、ＨＤＴＶの画像信号とアナログＴＶ信号を画面オーバレイユニットで重ね合わせて１つのモニタ画面上に表示できるビデオ信号を生成するように構成される。
【００２１】
【発明の実施の形態】
実施の形態１．
次に、本発明の実施の形態１のディジタルビデオ受信装置を図１〜図３を用いて説明する。図１は本発明の実施の形態１のディジタルビデオ受信装置の概略構成を示す図である。図１において、１１１は入力端子、１０３はチューナ、１０４は復調器、１０５は多重データ分離器、１０６はビデオ復号器、１０７はオーディオ復号器、１０８はデータ復号器、１４９は入力受信信号、１５０は番組選択指示信号、１５３はビデオストリーム、１５４はクロック信号、１５５はストリーム識別信号、（１５６ａ，１５６ｂ・・・・１５６ｎ）はビデオ出力信号、（１５７ａ，１５７ｂ・・・・１５７ｎ）はオーディオ出力信号、（１６０ａ，１６０ｂ・・・・１６０ｎ）はデータ出力信号、１８５は多重化信号である。
【００２２】
次に、本発明の実施の形態１のディジタルビデオ受信装置の動作について説明する。入力端子１１１に入力された入力受信信号は、チューナ１０３で必要な信号成分が取り出され、復調器１０４で復調され多重化信号１８５となり、多重データ分離器１０５に入力する。多重データ分離器１０５に入力した多重化信号１８５は、複数の番組が符号化され１つのストリームに多重された多重化信号であり、この多重化信号１８５は、図１２に示すように、複数の番組から構成されたビットストリームで構成される。図１２において、多重化信号１８５は、ｎチャネルのビデオ信号、ｎチャネルのオーディオ信号、ｎチャネルのデータ信号が含まれている。各ビデオ信号、オーディオ信号、データ信号のヘッダには各チャネルに必要な付随データ、たとえば、クロック等が含まれる。
【００２３】
多重データ分離器１０５では、多重化信号１８５の中から、ビデオ信号、オーディオ信号、データ信号を分離すると共に、外部から入力された番組選択指示信号１５０により、所望の番組の符号化データのみを取り出す。たとえば、分離されたビデオ信号には、ビデオストリーム１５３、番組対応のクロック信号１５４および番組を抽出するための制御信号であるストリーム識別信号１５５が含まれ、ビデオ復号器１０６に出力される。また、分離されたオーディオ信号には、オーディオストリーム信号１７０、番組対応のクロック信号１７１および番組を抽出するための制御信号であるストリーム識別信号１７２が含まれ、オーディオ復号器１０７に出力される。一方、分離されたデータ信号には、分離化データ信号１８０、番組対応のクロック信号１８１および番組を抽出するための制御信号であるストリーム識別信号１８２が含まれ、データ復号器１０８に出力される。
【００２４】
ビデオ復号器１０６では入力された番組対応のクロック信号１５４およびストリーム識別信号１５５を用いて、各ビデオストリームを復号し、各番組毎のビデオ復号信号（１５６ａ、１５６ｂ、・・・・１５６ｎ）をビデオ出力信号として出力する。
【００２５】
次に、本発明の実施の形態１のディジタルビデオ受信装置におけるビデオ復号器１０６を図２を用いて説明する。図２において、２０１は入力ビットストリームを各番組毎に分割するビットストリーム分割器、（２０２ａ，２０２ｂ・・・・２０２ｎ）は各チャネル毎のビデオ復号ユニット、（２０３ａ，２０３ｂ・・・・２０３ｎ）は各チャネル毎のビデオ信号を復号するチャネルビデオ復号器、（２０４ａ，２０４ｂ・・・・２０４ｎ）はビデオ信号を復号化するために使用される各チャネル毎のメモリ、（２５０ａ，２５０ｂ・・・・２５０ｎ）は各チャネル毎のビデオビットストリームである。
【００２６】
次に、ビデオ復号器１０６の動作について説明する。ビデオ復号器１０６に入力されたビデオストリーム１５３はストリーム識別信号１５５でを用いて番組に対応するチャネル毎のビットストリームに分割され、チャネルａ（ＣＨａ）のビットストリームはビデオ復号ユニット２０２ａに、チャネルｂ（ＣＨｂ）のビットストリームはビデオ復号ユニット２０２ｂに、チャネルｃ（ＣＨｃ）のビットストリームはビデオ復号ユニット２０２ｃにに送られる。
【００２７】
各ビデオ復号ユニット（２０２ａ，２０２ｂ・・・・２０２ｎ）は従来のＳＤＴＶ（Standard Definition TV）クラスのビデオ復号処理の能力を有する。各ビデオ復号ユニット（２０２ａ，２０２ｂ・・・・２０２ｎ）では、各チャネルごとに分割された各ビデオストリーム（２５０ａ，２５０ｂ・・・・２５０ｎ）を復号し、それぞれ各チャネルごとのビデオ出力信号（１５６ａ，１５６ｂ・・・・１５６ｎ）として出力する。ここで、ビデオ復号の際は、ビデオ復号ユニット（２０２ａ，２０２ｂ・・・・２０２ｎ）は、供給されたビデオクロック１５４をマスタのクロックとしてビデオ復号を行なう。各ビデオ復号ユニット（２０２ａ，２０２ｂ・・・・２０２ｎ）は、内部の各チャネルビデオ復号器（２０３２ａ，２０３ｂ・・・・２０３ｎ）およびメモリ２０４を使用してビデオ信号を復号し、各ビデオ出力信号（１５６ａ，１５６ｂ・・・・１５６ｎ）を出力する。
【００２８】
オーディオ復号器１０７においては、入力されたオーディオストリーム１７０を復号し、各番組毎のオーディオ復号信号（１５７ａ、１５７ｂ、・・・・１５７ｎ）をオーディオ出力信号として出力する。また、データ復号器１０８においても同様に、入力されたデータストリーム１８０を復号し、各番組毎のデータ復号信号（１６０ａ、１６０ｂ、・・・・１６０ｎ）をデータ出力信号として出力する。
【００２９】
図３は本発明の実施の形態１のディジタルビデオ受信装置に複数のモニタ（３３２ａ、３３２ｂ、・・・・３３２ｎ）を接続した状態を示す図である。図３において、（３３０ａ、３３０ｂ、・・・・３３０ｎ）はビデオ出力端子を示す。ビデオ出力端子３３０ａは図１に示すビデオ出力信号１５６ａ，オーディオ出力信号１５７ａ，データ出力信号１６０ａを含み、ビデオ出力端子３３０ｂは図１に示すビデオ出力信号１５６ｂ，オーディオ出力信号１５７ｂ，データ出力信号１６０ｂを含み、ビデオ出力端子３３０ｎは図１に示すビデオ出力信号１５６ｎ，オーディオ出力信号１５７ｎ，データ出力信号１６０ｎを含む信号である。このようにビデオ復号器１０６、オーディオ復号器１０７およびデータ復号器１０８からの出力信号はそれぞれ組になってそれぞれのモニタに出力され、各モニタにおいてビデオ、オーディオおよびデータを再現することができる。
【００３０】
ビデオ復号器１０６およびオーディオ復号器１０７およびデータ復号器１０８から出力されたビデオ復号信号（１５６ａ，１５６ｂ・・・・１５６ｎ）、オーディオ復号信号（１５７ａ，１５７ｂ・・・・１５７ｎ）、データ復号化信号（１６０ａ，１６０ｂ・・・・１６０ｎ）は、独立の信号として本発明のディジタルビデオ受信端末から出力されるので、ディジタルビデオ受信装置の端子にそれぞれ異なるモニタを接続することにより別々のモニタで異なる映像を見ることができる。
【００３１】
実施の形態２．
次に、本発明の実施の形態２のディジタルビデオ受信装置を図４を用いて説明する。図４は、本発明の実施の形態２のディジタルビデオ受信装置の概略構成示す図である。実施の形態２においては、多重データ分離器で分離された多重化ビデオストリームはさらにチャネル分離器で各チャネル毎に分離されたビデオ復号器に供給される。図４において、１１１は入力端子、１０３はチューナ、１０４は復調器、１０５は多重データ分離器、１０６はビデオ復号器、１０７はオーディオ復号器、１０８はデータ復号器、１１５はチャネル分離器、１５３ａ〜１５３ｎは多重化ビデオストリーム、１５４はクロック信号、（１５６ａ，１５６ｂ・・・・１５６ｎ）はビデオ出力信号、１５７はオーディオ出力信号、１６０データ出力信号、（１７０ａ，１７０ｂ・・・・１７０ｎ）はオーディオストリーム、（１８０ａ，１８０ｂ・・・・１８０ｎ）は多重化データ信号、１８５は多重化信号である。
【００３２】
次に、本発明の実施の形態２のディジタルビデオ受信装置の動作について説明する。入力端子１１１に入力された多重化ディジタル信号は、ディジタルビデオ受信装置の入力端子１１１に入力し、チューナ１０３で取り出され、復調器１０４で復調され多重化信号となり、多重データ分離器１０５に入力する。多重データ分離器１０５に入力した多重化信号１８５は、実施の形態１に示すストリーム構成と同じである。
【００３３】
多重データ分離器１０５では、多重化信号１８５からビデオストリーム、クロック信号およびチャネルを分離するためのストリーム識別信号を生成し、チャネル分離器１１５において、多重データ分離器１０５で生成されたストリーム識別信号１５５を用いて各チャネル毎に分離されたチャネル分離ビデオストリーム（１５３ａ、１５３ｂ、・・・・１５３ｎ）および各チャネル毎に分離されたチャネル分離クロック信号（１５４ａ、１５４ｎ、・・・・１５４ｎ）を生成する。ビデオ復号器１０６では入力された番組対応のチャネル分離ビデオストリーム（１５３ａ、１５３ｂ、・・・・１５３ｎ）をチャネル分離クロック信号（１５４ａ、１５４ｎ、・・・・１５４ｎ）を用いて復号し、各番組毎のビデオ復号信号（１５６ａ、１５６ｂ、・・・・１５６ｎ）をビデオ出力信号として出力する。
【００３４】
オーディオ復号器１０７においては、入力された番組対応の各オーディオストリーム（１７０ａ，１７０ｂ・・・・１７０ｎ）を復号し、各番組毎のオーディオ復号信号（１５７ａ、１５７ｂ、・・・・１５７ｎ）をオーディオ出力信号として出力する。また、データ復号器１０８においても同様に、入力された番組対応の各データストリーム（１８０ａ，１８０ｂ・・・・１８０ｎ）を復号し、各番組毎のデータ復号信号（１６０ａ、１６０ｂ、・・・・１６０ｎ）をデータ出力信号として出力する。
【００３５】
ビデオ復号器１０６の各番組毎のビデオ復号信号（１５６ａ、１５６ｂ、・・・・１５６ｎ）、オーディオ復号信号（１５７ａ、１５７ｂ、・・・・１５７ｎ）およびデータ復号信号（１６０ａ、１６０ｂ、・・・・１６０ｎ）は図３に示す実施の形態１の場合と同様にｎ台のモニタに接続される。
【００３６】
ビデオ復号器１０６およびオーディオ復号器１０７およびデータ復号器１０８から出力されたビデオ復号信号（１５６ａ，１５６ｂ・・・・１５６ｎ）、オーディオ復号信号１５７、データ復号信号（１６０ａ，１６０ｂ・・・・１６０ｎ）は、独立の信号として本発明のディジタルビデオ受信端末から出力されるので、ディジタルビデオ受信装置の端子にそれぞれ異なるモニタを接続することにより別々のモニタで異なる映像を見ることができる。
【００３７】
次に、本発明の実施の形態２のディジタルビデオ受信装置におけるビデオ復号器１０６を図５を用いて説明する。図５においては、ビデオ復号器１０６への入力信号はｎＣＨのビデオ信号が多重化された多重化ビデオ信号ではく、各チャネル毎にすでに分離されたビデオ信号である点が実施の形態１のビデオ復号器１０６と異なる。図５において、（２０２ａ，２０２ｂ・・・・２０２ｎ）はビデオ復号ユニット、（２０３ａ，２０３ｂ・・・・２０３ｎ）はチャネル毎のビデオ復号器、（２０４ａ，２０４ｂ・・・・２０４ｎ）はメモリである。
【００３８】
ビデオ復号器１０６のビデオチャネルａを復号するビデオ復号器１０６ａに入力されたビデオストリーム１５３ａ、クロック信号１５４ａ、ストリーム識別信号１５５ａは、ビデオ復号ユニット２０２ａに送られる。ビデオ復号ユニット２０２ａにおける動作は図２に示す実施の形態１の場合と同じであるので詳細な説明は省略する。ビデオ復号器１０６の他のチャネルについても同様にして、ビデオ復号信号（１５６ｂ，・・・・１５６ｎ）を出力する。これらのビデオ復号信号（１５６ａ，１５６ｂ・・・・１５６ｎ）にモニタを接続することによって各チャネル毎に異なるビデオ画像が再現される。
【００３９】
実施の形態３．
次に、本発明の実施の形態３のディジタルビデオ受信装置を図６を用いて説明する。図６は、本発明の実施の形態３のディジタルビデオ受信装置の概略構成示す図である。図６において、１１１は入力端子、１０３はチューナ、１０４は復調器、１０５は多重データ分離器、１０６はビデオ復号器、１０７はオーディオ復号器、１０８はデータ復号器、１０９は表示変換合成器、１１０はオーディオ選択器、１１５はデータ選択器、１４８は選択指示信号、１５３はビデオストリーム、１５４はクロック信号、１５５はストリーム識別信号、（１５６ａ，１５６ｂ・・・・１５６ｎ）はビデオ復号化信号、（１５７ａ，１５７ｂ・・・・１５７ｎ）はオーディオ復号化信号、１５８はビデオ出力信号、１５９はオーディオ出力信号、（１６０ａ，１６０ｂ・・・・１６０ｎ）はデータ復号化信号、１６１はデータ出力信号、１８５は多重化信号である。
【００４０】
次に、本発明の実施の形態３のディジタルビデオ受信装置の動作について説明する。入力端子１１１に入力された多重化ディジタル信号は、チューナ１０３で所望の信号成分が取り出され、復調器１０４で復調され多重化信号１８５となり、多重データ分離器１０５に入力する。実施の形態３のディジタルビデオ受信装置が実施の形態１および２のディジタルビデオ受信装置と異なる点は、後者では通常のＳＤＴＶ信号が入力端子１１１に入力するのに対して、本発明の実施の形態においては、入力端子１１１に入力する信号はＳＤＴＶ信号および／またはＨＤＴＶである点にある。ＳＤＴＶにおいては、ビデオ復号器１０６の処理までは、実施の形態１で述べたディジタルビデオ受信装置と同様であるが、ＨＤＴＶについては、その信号の帯域幅が広く、各ビデオ復号器１０６は全てのＨＤＴＶ信号を一度で復号する事はできない。従って、ＨＤＴＶ信号を複数の画面に対応する部分信号に分割し、分割された各々の部分信号を各ビデオ復号器１０６で復号し、その後復号された信号を合成することによってＨＤＴＶを再生する。
【００４１】
次に、図７を参照してＳＤＴＶおよび／またはＨＤＴＶがビデオ復号器１０６に入力した場合のビデオ復号器１０６の動作について説明する。ビットストリーム分割器２０１は入力したビットストリーム１５３がＨＤＴＶ（High Definition TV）か従来のＳＤＴＶ（Standard Definition TV）かによって、切換信号２０５は分割方式を切り替える。この切換信号２０５はビデオストリーム１５３の種類に従ってビットストリーム分割器２０１の内部で生成してもよい。
【００４２】
まず、ビデオ復号器１０６に入力した信号がＳＤＴＶの場合について説明する。ビットストリーム分割器２０１では、ビデオ復号器１０６に入力されたビデオストリーム１５３、クロック信号１５４、ストリーム識別信号１５５は各チャネル毎に分割され、各ビデオ復号ユニット（２０２ａ，２０２ｂ・・・・２０２ｎ）に送られる。この場合は、ビデオ復号器１０６からビデオ復号信号（１５６ａ，１５６ｂ・・・・１５６ｎ）が出力されるが、その生成方法は実施の形態１と同様であるので、説明を省略する。
【００４３】
次に、ビデオ復号器１０６に入力した信号がＨＤＴＶの場合について説明する。ビデオ復号器１０６に入力したＨＤＴＶ信号は、ビデオ復号器１０６に入力されたビデオストリーム１５３、クロック信号１５４、ストリーム識別信号１５５に基づいて、各部分画面に対応する部分ビデオ信号毎に分割され、各ビデオ復号ユニット（２０２ａ，２０２ｂ・・・・２０２ｎ）に送られる。各ビデオ復号ユニット（２０２ａ，２０２ｂ・・・・２０２ｎ）は、部分ビデオ復号器（２０３２ａ，２０３ｂ・・・・２０３ｎ）で各部分ビデオ信号を復号し、場合によって隣接する各ビデオ復号ユニット（２０２ａ，２０２ｂ・・・・２０２ｎ）からデータが必要な場合は、ビデオ復号ユニット間接続線（２５５ａ，２５５ｂ・・・・２５５ｎ）およびメモリ（２０４ａ，２０４ｂ・・・・２０４ｎ）を使用しながら復号処理を行い、部分ビデオ復号信号（１５６ａ，１５６ｂ・・・・１５６ｎ）を出力する。
【００４４】
次に、ビデオ復号器１０６から出力されたビデオ復号信号（１５６ａ，１５６ｂ・・・・１５６ｎ）は、表示変換合成器１０９に入力される。表示変換合成器１０９においては、ビデオ出力信号（１５６ａ，１５６ｂ・・・・１５６ｎ）が合成されて、１つのモニタに複数の分割画面を表示する。その例を図８および図９に示す。
【００４５】
図８は、複数のＳＤＴＶ復号信号が１つのモニタに表示される例を示す図である。図８において、１０９は表示変換合成器１０９、（３１０ａ，３１０ｂ・・・・３１０ｎ）は拡大・縮小器、３０２は画面オーバレイユニット、（３３２ａ、３３２ｂ、・・・・３３２ｎ）はモニタである。図８において、表示変換合成器１０９に入力されたビデオ復号信号（１５６ａ，１５６ｂ・・・・１５６ｎ）は各チャネル毎に拡大・縮小器（３１０ａ，３１０ｂ・・・・３１０ｎ）に入力され、そこでモニタとの関係で所望のサイズで拡大・縮小され、画面オーバレイユニット３０２で合成され、合成信号３５２としてモニタ３３２に出力され、モニタ３３２の１画面上に複数のチャネルが画像表示される。
【００４６】
図９は、複数の部分ビデオ信号に分割してそれぞれ復号されたＨＤＴＶ画像を１つのモニタに表示する例を示す図である。図９において、１０９は表示変換合成器１０９、（３１０ａ，３１０ｂ・・・・３１０ｎ）は拡大・縮小器、３０２は画面オーバレイユニット、３３２はモニタである。図９において、表示変換合成器１０９に入力された部分ビデオ復号信号（１５６ａ，１５６ｂ・・・・１５６ｎ）は各部分毎に拡大・縮小器（３１０ａ，３１０ｂ・・・・３１０ｎ）に入力され、そこでモニタとの位置関係で所望のサイズに拡大・縮小され、画面オーバレイユニット３０２で合成され、合成信号３５２としてモニタ３３２に出力され、モニタ３３２上で一つのＨＤＴＶ画像が表示される。
【００４７】
なお、オーディオ復号器１０７においては、入力された複数のオーディオストリーム１７０を復号し、オーディオ選択器１１０に送出し、オーディオ選択指示信号によって所望のオーディオ信号が選択されて（この場合はたとえば、１５７ａのみが選択されて）オーディオ出力信号１５９として出力される。また、データ復号器１０８においても同様に、データストリーム１８０を復号し、所望のデータ復号信号１６０ａをが選択されたデータ出力信号として出力される。
【００４８】
実施の形態４．
以下、本発明における実施の形態４のディジタルビデオ受信装置を図１０、図１１を用いて説明する。図１０は、本発明の実施の形態４のディジタルビデオ受信装置の概略構成を示す図である。図１０において、１０１はチューナ、１０２はＮＴＳＣ／ＰＡＬデコーダ、１０４は復調器、１０５は多重データ分離器、１０６はビデオ復号器、１０７はオーディオ復号器、１０８はデータ復号器、１０９は表示変換合成器、１１０はオーディオ選択器、１１５はデータ選択器、１４８は選択指示信号、１４９はディジタルベースバンド信号、１５１はアナログベースバンド信号、１５２はアナログビデオ信号、１５３はビデオストリーム、１５４はクロック信号、１５５はストリーム識別信号、（１５６ａ，１５６ｂ・・・・１５６ｎ）はビデオ復号信号、（１５７ａ，１５７ｂ・・・・１５７ｎ）はオーディオ復号信号、１５８はビデオ出力信号、１５９はオーディオ出力信号、（１６０ａ，１６０ｂ・・・・１６０ｎ）はデータ復号化信号、１６１はデータ出力信号、１８５は多重化信号である。
【００４９】
次に、図１０に示される本発明の実施の形態４のディジタルビデオ受信装置の動作について説明する。衛星通信または地上波通信を介して受信された受信信号はチューナ１０１によりアナログベースバンド信号１５１とディジタルベースバンド信号１４９に分岐され、アナログベースバンド信号１５１はＮＴＳＣ／ＰＡＬデコーダ１０２でアナログビデオ信号１５２になり、ディジタルベースバンド画像信号１４９は、復調器１０４で復調され、多重データ分離器１０５に入力される。多重データ分離器１０５に入力される多重化信号１８５は、複数の番組を符号化して１つのストリームに多重されたＳＤＴＶ信号または一つのＨＤＴＶを運ぶ信号１である。図１２に、ＳＤＴＶにおける複数の番組から構成されたビットストリームを示す。
【００５０】
多重データ分離器１０５は、入力された多重化信号１８５をビデオ信号、オーディオ信号およびデータ信号に分離し、さらに各信号は、ストリーム信号、クロック信号およびストリーム識別信号に分離して出力する。たとえば、ＳＤＴＶの場合には、ビデオ信号に対しては、多重データ分離器１０５は、ビデオストリーム１５３、番組対応のクロック信号１５４および番組を選択するための制御信号であるストリーム識別信号１５５をビデオ復号器１０６に出力する。オーディオ信号に対しては、多重データ分離器１０５は、オーディオストリーム信号１７０、番組対応のクロック信号１７１および番組を選択するための制御信号であるストリーム識別信号１７２をオーディオ復号器１０７に出力する。データ信号についても同様である。ＨＤＴＶの場合には、多重化信号１８５の中から部分信号ストリーム１５４、部分信号対応のクロック信号１５４および部分信号を選択するための制御信号であるストリーム識別信号１５５をビデオ復号器１０６に出力する。なお、ＳＤＴＶの場合には、外部から入力された選択指示信号１４８により、必要な番組のみを抽出してビデオストリーム１５３として出力する。
【００５１】
ビデオ復号器１０６においては、ＳＤＴＶに場合には、各番組に対応したビデオ出力信号（１５６ａ，１５６ｂ・・・・１５６ｎ）が出力され、ＨＤＴＶの場合には、各部分毎のビデオ復号信号（１５６ａ、１５６ｂ、・・・・１５６ｎ）が出力される。ビデオ復号器１０６における復号方法は、実施の形態３と同様であるので、説明を省略する。
【００５２】
実施の形態４における表示変換合成器１０９は、ビデオ復号器１０６から出力されたＨＤＴＶビデオ復号信号（１５６ａ，１５６ｂ・・・・１５６ｎ）を合成すると共に、ＮＴＳＣ／ＰＡＬデコーダ１０２から出力されたアナログビデオ１５２がある場合はその画像をも１つの画面上に合成して、ビデオ信号１５８として出力する。画面合成の方法の１例を図１１に示す。
【００５３】
図１１は、１つのＨＤＴＶ画像と１つのＳＤＴＶ画像を同時に復号しメッセージ上で同一画面に表示する１例を示す。図１１において、ビデオ復号器１０６から出力されたＨＤＴＶビデオ復号信号（１５６ａ，１５６ｂ・・・・１５６ｎ）は、画面再生器３０１で複数の部分ビデオ信号を合成し、ＨＤＴＶの画像に再生を行ない、さらにアナログ映像とピクチャインピクチャを行なう場合には、画面オーバレイユニット３０２でオーバレイ処理を行ないアナログ画面とディジタルＨＤＴＶ画面とを１つの画面としてビデオ信号１５８を出力する。信号はモニタ３３２でアナログ画像とＨＤＴＶ画像とを１つの画面にピクチャインピクチャの形式で表示させることができる。なお、多重化信号１８５がＳＤＴＶの場合には、実施の形態３で述べたように、画面再生器３０１で複数のＳＤＴＶビデオ信号を合成し、その後に画面オーバレイユニット３０２で複数のＳＤＴＶ画像とアナログ画像とを、一つのモニタ画面上に表示することもできる。
【００５８】
【発明の効果】
第１の発明においては、符号化ビデオ信号、符号化オーディオ信号、符号化データ信号の各ビットストリームを多重した多重化信号により、ビデオ、オーディオ、データからなるメディアを含んだ番組の配送を行なうディジタル放送サービスを受信して、番組を受信者に供給するディジタルビデオ受信装置は、多重化信号を受信してディジタルベースバンド信号に変換するチューナと、チューナから供給されたディジタルベースバンド信号を復号する復調器と、復調器から出力された符号化ビデオ信号、符号化オーディオ信号、符号化データ信号が多重された多重化信号から、ビデオ信号のビットストリーム、オーディオ信号のビットストリーム、データ信号のビットストリーム、番組対応のクロックおよび受信したビットストリームを識別するためのストリーム識別信号を分離して出力する多重データ分離器と、ビデオ信号のビットストリームを分割するビットストリーム分割器と複数のビデオ復号ユニットとを備え、多重データ分離器で分離されたビデオ信号を復号するビデオ復号器と、多重データ分離器で分離されたオーディオ信号を復号するオーディオ復号器と、多重データ分離器で分離されたデータ信号を復号するデータ復号器と、ビデオ復号器から出力された複数のビデオ信号を１つの画面上に表示するように信号変換を行う表示変換合成器と、オーディオ復号器から出力されたオーディオ信号を選択するオーディオ選択器と、データ復号器から出力されたデータ信号を選択するデータ選択器とを備え、復調器から出力された多重化信号がＳＤＴＶの場合には、多重データ分離器は、外部からの選択指示信号により選択された１以上の番組を構成するビデオ信号のビットストリーム、オーディオ信号のビットストリーム、データ信号のビットストリーム、番組対応のクロックおよびストリーム識別信号を分離して出力し、ビットストリーム分割器は、切換信号に従って多重データ分離器から出力されたビデオ信号から各番組を構成するチャンネル毎に分離されたビデオストリームを生成して出力し、各ビデオ復号ユニットは、各チャネル毎にビデオストリーム信号を復号し各チャンネル毎のビデオ出力信号として出力し、表示変換合成器は、各ビデオ復号器から出力された各チャンネル毎のビデオ出力信号を合成して各チャンネル毎のビデオ出力信号が１つの画面上に表示されるようにし、復調器から出力された多重化信号がＨＤＴＶの場合には、多重データ分離器は、複数の部分画像を構成するビデオ信号のストリーム、オーディオ信号のストリーム、データ信号のビットストリーム、部分画像対応のクロックおよびストリーム識別信号を分離して出力し、ビットストリーム分割器は、切換信号に従って多重データ分離器から出力されたビデオ信号から各部分毎に分離されたビデオストリームを生成して出力し、各ビデオ復号ユニットは、各部分毎にビデオストリーム信号を復号し各部分毎のビデオ出力信号として出力し、表示変換合成器は、各ビデオ復号器から出力された各部分毎のビデオ信号を合成して部分画像から１画面の画像が表示されるように構成されるので、１つのディジタルビデオ受信端末で１つのＨＤＴＶ解像度の画像を見ることができると共に、複数のＳＤＴＶ解像度の番組を同時に見ることが可能になる。
【００６０】
第２の発明においては、表示変換合成器は、複数の拡大・縮小器および画面オーバレイユニットを有し、ＳＤＴＶの場合にはビデオ復号器から入力した復号信号を１つのモニタで表示できるサイズになるように拡大・縮小器で拡大・縮小し、それらの拡大・縮小された複数の画像信号を画面オーバレイユニットで重ね合わせて１つのモニタ画面上に表示できるビデオ信号を生成するように構成されるので、１つのディジタルビデオ受信端末で１つのＨＤＴＶ解像度の画像を見ることができと共に、複数のＳＤＴＶ解像度の番組を同時に見ることが可能になる。
【００６１】
第３の発明においては、さらに、ＮＴＳＣ／ＰＡＬデコーダを備え、チューナは受信信号をＮＴＳＣ／ＰＡＬのアナログベースバンド信号とディジタルベースバンド信号に分岐し、ＮＴＳＣ／ＰＡＬデコーダはチューナから供給されたアナログベースバンド信号を復号し、復号ビデオ信号を生成し、表示変換合成器はＮＴＳＣ／ＰＡＬデコーダからのアナログ画像信号とビデオ復号器からのディジタル画像信号とを合成し、１つのモニタ上にアナログ画像信号とディジタル画像信号とを表示できるビデオ信号を生成するように構成されるので、ディジタルで送信されてきたディジタル番組およびアナログで送信されてきたアナログ番組を同時にデコードし、同じモニタ上に表示することが可能になる。
【００６２】
第４の発明においては、表示変換合成器は、画面再生器および画面オーバレイユニットを有し、ビデオ復号器からディジタルＨＤＴＶ画像信号を合成し１つのモニタで表示アされるビデオ信号を生成し、一方、ＮＴＳＣ／ＰＡＬデコーダからのアナログＴＶ信号が存在するときは、ＨＤＴＶの画像信号とアナログＴＶ信号を画面オーバレイユニットで重ね合わせて１つのモニタ画面上に表示できるビデオ信号を生成するように構成されるので、ディジタルで送信されてきたディジタル番組およびアナログで送信されてきたアナログ番組を同時にデコードし、同じモニタ上に表示することが可能になる。
【図面の簡単な説明】
【図１】  実施の形態１のディジタルビデオ受信装置の構成を示す図である。
【図２】  実施の形態１のディジタルビデオ受信装置に用いるビデオ復号器を示す図である。
【図３】  実施の形態１のディジタルビデオ受信装置に複数のモニタを接続した状態を示す図である。
【図４】  実施の形態２のディジタルビデオ受信装置の構成を示す図である。
【図５】  実施の形態２のディジタルビデオ受信装置におけるビデオ復号器を示す図である。
【図６】  実施の形態３のディジタルビデオ受信装置の構成を示す図である。
【図７】  実施の形態３のディジタルビデオ受信装置に用いるビデオ復号器を示す図である。
【図８】  実施の形態３のディジタルビデオ受信装置における複数のＳＤＴＶ信号を１つのモニタに表示する例を示す図である。
【図９】  実施の形態３のディジタルビデオ受信装置におけるＨＤＴＶ画像を１つのモニタに表示する例を示す図である。
【図１０】  実施の形態４のディジタルビデオ受信装置の構成を示す図である。
【図１１】  実施の形態４のディジタルビデオ受信装置における１つのＳＤＴＶ画像と１つのＨＤＴＶ画像を１つのモニタに表示する例を示す図である。
【図１２】  本発明の実施の形態における多重化信号の構成例を示す図である。
【図１３】  従来技術ににおける衛星トランスポンダ上の信号周波数配列の一例を示す図である。
【図１４】  従来技術ににおけるディジタルビデオ受信端末装置の一例を示す図である。
【符号の説明】
１０２  ＮＴＳＣ／ＰＡＬデコーダ、  １０３  チューナ、  １０４  復調器、  １０５  多重データ分離器、  １０６  ビデオ復号器、  １０７  オーディオ復号器、  １０８  データ復号器、  １０９  表示変換合成器、  １１０  オーディオ選択器、  ２０１  ビットストリーム分割器、  ２０２  ビデオ復号ユニット、  ２０３  チャネルビデオ復号器または部分ビデオ復号器、  ２０４  メモリ、  ２５５  ビデオ復号ユニット間接続線、  ３０２  画面オーバレイユニット、  ３１０  拡大・縮小器、  ３３２  モニタ
【図１】
0003937564.tif 000002
【図２】
0003937564.tif 000003
【図３】
0003937564.tif 000004
【図４】
0003937564.tif 000005
【図５】
0003937564.tif 000006
【図６】
0003937564.tif 000007
【図７】
0003937564.tif 000008
【図８】
0003937564.tif 000009
【図９】
0003937564.tif 000010
【図１０】
0003937564.tif 000011
【図１１】
0003937564.tif 000012
【図１２】
0003937564.tif 000013
【図１３】
0003937564.tif 000014
【図１４】
0003937564.tif 000015